(57)【要約】【課題】１つの文書データをそれぞれのユーザーが好みの印刷設定で印刷する。【解決手段】携帯端末装置が文書リストの送信を指示する信号を画像形成装置へ送信すると、画像形成装置は文書記憶部が記憶する文書データの文書リストを返信し、携帯端末装置の表示部は文書リストを表示する。ユーザーは表示部に表示された文書リストを見て、印刷したい文書のファイル名を選択する。操作部が文書の選択を受け付けると、表示部は印刷設定項目を表示する。ユーザーが印刷設定を選択した後、印刷実行の指示入力を受け付けると、携帯端末装置は、印刷する文書ファイル名、印刷設定の内容、そして印刷実行を指示する信号を画像形成装置２へ送信する。画像形成装置２はこの信号を受けて、印刷設定の内容に従って印刷する。【選択図】図３
2016031561.tif 000002
【特許請求の範囲】
【請求項１】
文書データを記憶する画像形成装置との間でデータ通信が可能な携帯端末装置であって、
印刷設定の入力を受け付ける入力受付部と、
前記画像形成装置が記憶する文書データのリストの送信を指示する信号を当該画像形成装置に対して送信する送信部と、
前記画像形成装置が送信した文書データのリストを受信する受信部と、
表示部と、
前記受信部が前記リストを受信したときに、前記表示部に対して当該リストを表示させる表示制御を行う表示制御部とを備え、
前記入力受付部は、前記表示部が表示するリストの中から文書データのファイル名の選択入力を受け付け、
前記送信部は、前記入力受付部が受け付けた印刷設定の内容と、当該印刷設定の内容で前記入力受付部が受け付けたファイル名と、当該ファイル名を有する文書データの印刷実行を指示する信号とを前記画像形成装置に送信する送信部と、を備えた携帯端末装置。
【請求項２】
前記入力受付部が受け付けた印刷設定の履歴を記憶する印刷設定記憶部を更に備え、
前記表示制御部は前記表示部に前記印刷設定記憶部が記憶する印刷設定の履歴を表示させ、前記入力受付部は、前記表示部が表示する印刷設定の履歴の中から印刷設定を選択する入力を受け付ける請求項１に記載の携帯端末装置。
【請求項３】
請求項１又は請求項２に記載の携帯端末装置と、
複数の前記携帯端末装置とデータ通信が可能であって、文書を記憶する文書記憶部を有し、前記携帯端末装置から送信された印刷設定の内容に従って前記記憶部が記憶する文書の印刷を実行する画像形成装置と、
を備えた印刷システム。
【発明の詳細な説明】
【技術分野】
【０００１】
本発明は、文書を記憶する画像形成装置とデータ通信が可能な携帯端末装置、及び当該画像形成装置と当該携帯端末装置とを備えた印刷システムに関する。
【背景技術】
【０００２】
一つの文書を、様々な印刷設定で印刷する際の各種の処理を容易に行うための技術が提案されている。特許文献１では、画像形成装置の仕様に依存しない中間データをホストコンピューターに蓄積して記憶させ、印刷設定用ユーザーインターフェイスからの指示により印刷条件の変更や再印刷を受け付けるプリンタドライバーが提案されている。
【０００３】
また、特許文献２では、画像形成装置の文書ボックスが記憶する文書に対して、文書状況に応じた印刷設定を予め設定しておき、文書ボックス内の文書が印刷指示を受けたときに適切な印刷設定に自動的に変換される文書処理装置が提案されている。
【先行技術文献】
【特許文献】
【０００４】
【特許文献１】特開２００６−２０９７０８号公報
【特許文献２】特開２００８−２７６７８９号公報
【発明の概要】
【発明が解決しようとする課題】
【０００５】
しかし、特許文献１に記載された発明の場合、中間データはホストコンピューターが保持するため、印刷時までホストコンピューターを動作可能な状態に維持しておく必要がある。また、特許文献２の場合、文書の状況により印刷設定が選択されるため、例えば異なる配布先に応じて印刷設定を変えたいときに対応できない。
【０００６】
本発明は、上記の問題を解決するためになされたもので、画像形成装置が記憶する文書データを異なる印刷設定で簡単に印刷すること目的とする。
【課題を解決するための手段】
【０００７】
本発明における携帯端末装置は、文書データを記憶する画像形成装置との間でデータ通信が可能な携帯端末装置であって、印刷設定の入力を受け付ける入力受付部と、前記画像形成装置が記憶する文書データのリストの送信を指示する信号を当該画像形成装置に対して送信する送信部と、前記画像形成装置が送信した文書データのリストを受信する受信部と、表示部と、前記受信部が前記リストを受信したときに、前記表示部に対して当該リストを表示させる表示制御を行う表示制御部とを備え、前記入力受付部は、前記表示部が表示するリストの中から文書データのファイル名の選択入力を受け付け、前記送信部は、前記入力受付部が受け付けた印刷設定の内容と、当該印刷設定の内容で前記入力受付部が受け付けたファイル名と、当該ファイル名を有する文書データの印刷実行を指示する信号とを前記画像形成装置に送信する送信部と、を備える。
【０００８】
また、本実施の形態の印刷システムは、上記携帯端末装置と、複数の前記携帯端末装置とデータ通信が可能であって、文書を記憶する文書記憶部を有し、前記携帯端末装置から送信された印刷設定の内容に従って前記記憶部が記憶する文書の印刷を実行する画像形成装置と、を備える。
【発明の効果】
【０００９】
本発明によれば、各ユーザーは、携帯端末装置を用いることで、画像形成装置が記憶する文書データを好みの印刷設定で印刷することができる。また、各ユーザーが画像形成装置を操作して当該画像形成装置に印刷設定を入力しなくても、携帯端末装置を用いることでいつでも簡単に所望の印刷設定で印刷実行を画像形成装置に指示することが可能になる。
【図面の簡単な説明】
【００１０】
【図１】画像形成装置の構造を示す正面断面図である。
【図２】画像形成装置の主要内部構成を示す機能ブロック図である。
【図３】印刷処理の流れを示したフローチャートである。
【発明を実施するための形態】
【００１１】
以下、本発明の一実施形態に係る携帯端末装置及び印刷システムについて図面を参照して説明する。尚、本発明の一実施形態に係る携帯端末装置は、携帯電話、タブレット端末等のインターネットや公衆回線を介したデータ通信が可能な携帯端末装置である。
【００１２】
図１は、本実施の形態における印刷システム１００を説明するための図である。印刷システム１００は、複数の携帯端末装置１ａ〜１ｃ（以下、まとめて「携帯端末装置１」という）、画像形成装置２及びインターネット等のネットワークで構成され、携帯端末装置１と画像形成装置２はインターネットを介してデータ通信が可能である。なお、本発明の一実施形態に係る印刷システムとしては、少なくとも１台の携帯端末装置と１台の画像形成装置とを備えていれば足りる。
【００１３】
画像形成装置２は、文書データを記憶する文書記憶部２１を備える。そして各携帯端末装置１は、画像形成装置２に対して文書記憶部２１が記憶する文書データ２１１の印刷実行を、インターネットを介して指示するための印刷アプリケーションプログラムを保持している。この印刷アプリケーションプログラムを機能させることによって、ユーザーは携帯端末装置１にて印刷設定の内容を任意に設定し、その印刷設定の内容に応じた印刷を画像形成装置２に対して実行可能である。
【００１４】
例えば、携帯端末装置１ａを保有するユーザーは、文書データ２１１をカラー印刷したい場合、ユーザーは携帯端末装置１ａにて印刷モードをカラーに設定して印刷実行を指示する。画像形成装置２はこの印刷実行指示を受けると、文書データ２１１のカラー印刷を行う。
【００１５】
また、携帯端末装置１ｂを保有するユーザーが文書データ２１１をモノクロで１枚に２ページ印刷する集約印刷をしたい場合、ユーザーは携帯端末装置１ｂにて印刷モードをモノクロで１枚に２ページ印刷する２ｉｎ１に設定して印刷実行を指示する。画像形成装置２はこの印刷実行指示を受けると、文書データ２１１をモノクロで２ｉｎ１の集約印刷を行う。携帯端末装置１ｃを保有するユーザーが文書データ２１１をモノクロで１枚に４ページ印刷する４ｉｎ１の集約印刷をしたい場合も同様の方法で設定し、印刷実行を指示する。
【００１６】
こうすることで、携帯端末装置１を保有する各ユーザーは、文書データ２１１を各自希望する印刷設定で印刷することができる。例えば、文書データ２１１はある会議で用いる資料であって、携帯端末装置１ａのユーザーは文書データ２１１を会議出席者への配布用に印刷したい場合、上記したようにカラー印刷（清書印刷）で印刷指示を行う。
【００１７】
また、携帯端末装置１ｂや携帯端末装置１ｃのユーザーは、会議には出席しないが、文書データ２１１を資料として印刷したい場合、好みに応じて２ｉｎ１や４ｉｎ１の集約印刷で印刷指示を行う。このように１つの文書を各人が所望の印刷設定で印刷することができる。更に、従来は、特定の１つの文書データを複数のユーザーで共有してそれぞれに印刷する場合は、各ユーザーが画像形成装置２を操作することで、所望の印刷設定で印刷を行っていたが、本実施形態によれば、各ユーザーは自身所有の携帯端末装置１に好みの印刷設定を記憶させておき、この携帯端末装置１を用いて印刷指示を行うことで、いつでも簡単に好みの印刷設定で印刷実行を指示することができる。
【００１８】
図２は、本実施の形態における印刷システム１００の構成を示す機能ブロック図である。携帯端末装置１は、制御部１１、操作部１２（入力受付部）、印刷設定記憶部１３及びネットワークインターフェイス部１４（送信部、受信部）等を備える。
【００１９】
操作部１２は、携帯端末装置１が実行可能な各種動作及び処理についてユーザーから印刷設定の内容や文書選択、印刷実行等の指示を受け付ける。操作部１２は、ユーザーへの各種メッセージや操作案内等を表示する表示部１２１を備えている。
【００２０】
印刷設定記憶部１３は、操作部１２が受け付けた印刷設定の履歴を蓄積して記憶する。
【００２１】
ネットワークインターフェイス部１４は、ＬＡＮボード等の通信モジュールから構成され、ネットワークインターフェイス部１４に接続されたＬＡＮ等を介して、ローカルエリア内又はインターネット上の画像形成装置２と種々のデータの送受信を行う。
【００２２】
制御部１１は、ＣＰＵ(Central Processing Unit)、ＲＡＭ、ＲＯＭ及び専用のハードウェア回路等から構成され、携帯端末装置１の全体的な動作制御を司る。また制御部１１は、表示部１２１の制御を行う表示制御部１１１を有する。
【００２３】
画像形成装置２は、印刷データに従って用紙に画像を印刷するものであり、文書データを記憶する文書記憶部２１を備える。文書記憶部２１が記憶する文書データとは、パソコン等の外部装置から送信されたデータ、画像形成装置２が備える原稿読取装置（不図示）が読み取った画像データ等である。
【００２４】
図３は、本実施の形態における印刷処理の流れを示したフローチャートである。まず、画像形成装置２の文書記憶部２１が文書データを記憶する（ステップＳ１１）。その後、携帯端末装置１の操作部１２をユーザーが操作して、携帯端末装置１から文書リストを入手する旨の指示を入力すると、携帯端末装置１の制御部１１は、ネットワークインターフェイス部１４を介して、当該文書リストの送信を指示する信号を画像形成装置２へ送信する（ステップＳ２１）。文書リストとは、画像形成装置２の文書記憶部２１が記憶する文書データのファイル名のリストである。画像形成装置２は文書リストを携帯端末装置１へ返信する（ステップＳ１２）。
【００２５】
ネットワークインターフェイス部１４が画像形成装置２から文書リストを受信すると、表示制御部１１１は表示部１２１に文書リストを表示させる（ステップＳ２２）。ユーザーは表示部１２１に表示された文書リストを見て、印刷したい文書のファイル名を選択する。操作部１２が文書の選択を受け付けると（ステップＳ２３；ＹＥＳ）、表示制御部１１１は表示部１２１に印刷設定項目を表示させる（ステップＳ２４）。印刷設定項目とは、例えば、印刷部数、印刷濃度、カラー又はモノクロ、集約印刷の有無、ステープルやパンチ等の仕上げ処理の有無、印刷部数等である。
【００２６】
ステップＳ２４において、印刷設定記憶部１３が記憶する印刷設定から、直近で選択された設定内容や、最も選択回数の多い設定内容を制御部１１が抽出し、表示制御部１１１が表示部１２１に表示させるようにしてもよい。これにより、ユーザーが選択する可能性の高い印刷設定を表示させることができ、ユーザーはより簡単に所望の印刷設定を選択することができる。
【００２７】
そして、操作部１２が印刷実行の指示入力を受け付けると（ステップＳ２５；ＹＥＳ）、ネットワークインターフェイス部１４は、印刷する文書データのファイル名、印刷設定の内容、そして当該文書データについての印刷実行を指示する信号を画像形成装置２へ送信する（ステップＳ２８）。画像形成装置２は印刷実行を指示する当該信号を受信し、当該受信した信号の示す内容に基づいて、指定された文書データを印刷設定の内容に従って印刷する（ステップＳ１３）。
【００２８】
以上、説明したように、文書記憶部２１が記憶する文書データを複数のユーザーがそれぞれに好みの印刷設定で印刷するような場合に、ユーザーは自身所有の携帯端末装置１を用いることで、当該文書データを簡単に、各自好みの印刷設定で印刷することができ、各ユーザーが画像形成装置２を操作してそれぞれ用の印刷設定を入力しなくても、携帯端末装置１を用いていつでも簡単に好みの印刷設定で印刷実行を指示することができる。
【符号の説明】
【００２９】
１      携帯端末装置
１１    制御部
１１１  表示制御部
１２    操作部
１２１  表示部
１３    印刷設定記憶部
１４    ネットワークインターフェイス部
２      画像形成装置
２１    文書記憶部
【図１】
2016031561.tif 000003
【図２】
2016031561.tif 000004
【図３】
2016031561.tif 000005